(57)【要約】      （修正有）【課題】通常の鏡餅を飾るための十分な鏡餅載置面積が無くとも、狭小載置スペースに対応できる鏡餅代替機能を発揮する飾り物を提供する。【解決手段】表裏シートと底面シートで形成される自立性包装袋における表面に、鏡餅餅表示、その他の飾り表示（水引表示、三方表示他）及び特に新年を意味する文字（例えば「賀正」「新春」「迎春」「謹賀新年」等）と当該年を示す文字等の文字表示の模様表示２を施すと共に、複数の小型餅（個包装した切り餅や丸餅）３を収納する。【選択図】図２
0003208169.tif 000002
【実用新案登録請求の範囲】
【請求項１】
表裏シートと底面シートで形成される自立性包装袋における表面に、鏡餅を表現した模様表示を施すと共に、複数の小型餅を収納してなることを特徴とする飾り物。
【請求項２】
小型餅が個包装餅である請求項１記載の飾り物。
【請求項３】
個包装餅が、自立性包装袋内に並列縦収納される棒状体である請求項２記載の飾り物。
【請求項４】
表裏シートの外形側縁中間部分を模様表示に対応した緩曲線状の凹部に形成してなる請求項１乃至３記載の何れかの飾り物。
【請求項５】
模様表示に新年を意味する文字及び当該年を示す文字等の文字表示を施してなる請求項１乃至４記載の何れかの飾り物。
【請求項６】
自立性包装袋に壁掛け用の透孔を設けてなる請求項１乃至５記載の何れかの飾り物。
【請求項７】
個包装餅が、内層が酸素吸収性を備え外層が酸素バリア性を備えたフィルムで形成した包装材で小型餅を密封したものである請求項２乃至６記載の何れかの飾り物。
【考案の詳細な説明】
【技術分野】
【０００１】
本考案は、餅の新規な包装形態を採用して鏡餅に代えて飾ることのできる飾り物に関するものである。
【背景技術】
【０００２】
鏡餅は周知のとおり平たく円形に作った餅で、大小２個をひと重ねにし、正月や祝いのときに神仏に供えるが、大小２個の餅に代えて二段重ね鏡餅の外形に模した包装体内に、雑煮餅として使用できる切り餅や丸餅を個包装して収納し、適宜な飾り台（三方）、装飾部材（水引、橙等）をつけて使用している。
【０００３】
しかし近年一般家庭では神棚や床の間等の飾りスペースの確保が困難になっているのでその対策として壁面への吊下げや狭小スペースでの飾り付けを行うことができる鏡餅の代替となる飾り物が提案されている。
【０００４】
例えば特許文献１には、前方に膨出形成させた模擬鏡餅部と模擬三方部とからなる収納部に個包装餅を収納し、背板で収納部背面を閉じて紐部材で壁面に吊下げるようにした鏡餅代替用の飾り物が開示されている。
【０００５】
また特許文献２には、鏡餅形状に前方に突出させた鏡餅容器（餅収納部）を備えた正面部と、正面部の上部と連結された背面部と、正面部又は背面部の何れかに連結した三角形の側面部で構成された鏡餅飾り具が開示されている。
【先行技術文献】
【特許文献】
【０００６】
【特許文献１】登録実用新案第３０４９４６０号公報。
【特許文献２】特開２０１２―５５１４号公報。
【考案の概要】
【考案が解決しようとする課題】
【０００７】
前記した鏡餅代替の飾り物は、二段重ね鏡餅の外形を前後縦割りした形状の餅収納部を備えることにより、鏡餅代替（餅を供える）としているもので、当該餅収納部を所定の保形性を備えた樹脂フィルムで形成する必要があり必ずしも製造が簡易であるとは言えず、且つ相応の製造コストが必要である。
【０００８】
そこで本考案は、より簡易的であり且つ餅を供えるという鏡餅の代替となる新規な飾り物を提案したものである。
【課題を解決するための手段】
【０００９】
本考案の請求項１記載に係る飾り物は、表裏シートと底面シートで形成される自立性包装袋における表面に、鏡餅を表現した模様表示を施すと共に、複数の小型餅を収納してなることを特徴とするものである。
【００１０】
而して模様表示を前面にして所望の箇所に載置起立状態で飾ることで、鏡餅の代替機能（餅を供える）を果たす。
【００１１】
また本考案の請求項２及び３記載に係る飾り物は、前記の飾り物において特に小型餅に個包装餅を採用し、また個包装餅を自立性包装袋内に並列縦収納される棒状体としたものである。従って収納される個包装餅はパック内で乱雑になることが無く、安定起立に寄与する。
【００１２】
また本考案の請求項４記載に係る飾り物は、特に表裏シートの外形側縁中間部分を模様表示に対応した緩曲線状の凹部に形成してなるもので、鏡餅模様表示と相俟って鏡餅の雰囲気を醸し出す。
【００１３】
また本考案の請求項５記載に係る飾り物は、特に模様表示に新年を意味する文字（例えば「賀正」「新春」「迎春」「謹賀新年」等）と当該年を示す文字等の文字表示を施してなる、鏡餅の代替機能がより明確に表現される。
【００１４】
また本考案の請求項６記載に係る飾り物は、自立性包装袋に壁掛け用の透孔を設けてなるもので、載置箇所が無くとも壁掛け展示が可能となる。
【００１５】
また本考案の請求項７記載に係る飾り物は、個包装餅が、内層が酸素吸収性を備え外層が酸素バリア性を備えたフィルムで形成した包装材で小型餅を密封したもので、個包装餅が十分日持ちする商品となる。特に自立性包装袋が透孔形成によって非密封状態で収納した場合でも、個包装餅の日持ちに影響を与えない。
【考案の効果】
【００１６】
本考案の構成は上記のとおりで、通常の鏡餅を飾るための十分な鏡餅載置面積が無くとも、鏡餅代替となる本考案に係る飾り物で狭小載置スペースに対応できるものである。
【図面の簡単な説明】
【００１７】
【図１】本考案の実施形態の全体斜視図。
【図２】同個包装餅の収納状態の説明図。
【図３】同自立性包装袋の説明図で（イ）はシート構成（ロ）は餅収納前の状態（ハ）は横断面を各々示す。
【考案を実施するための形態】
【００１８】
次に本考案の実施形態について説明する。実施形態に示した飾り物は、自立性包装袋１と、自立性包装袋１に施した模様表示２と、自立性包装袋１に収納した個包装餅３で構成される。
【００１９】
自立性包装袋１は適宜な樹脂フィルム（後述する個包装餅３を採用することで、従前の酸素バリア性を具備した包装フィルムを採用しなくとも良い）で形成した表シート１１、裏シート１２及び底シート１３で、表裏シート１１，１２は、幅８〜１３ｃｍ程度、高さ１５〜２０ｃｍ程度の大きさで、所定箇所（周縁部分）を順次熱溶着すると共に、個包装餅３を収納した後に全封するものである。
【００２０】
また特に表裏シートの外形側縁中間部分を、後述する模様表示２の鏡餅表示２１の餅を重ねた個所に対応して緩曲線状の凹部１４を形成し、側縁上方箇所に開封用切込１５を設けてなる。更に上方適宜位置に壁掛け用の透孔１６を穿設する。この透孔１６は、フィルムシール箇所でも、シール箇所より内側に形成して自立性包装袋１の密封を解除するものであっても良い。
【００２１】
模様表示２は、お飾りを施した鏡餅を表現したもので、例えば鏡餅表示２１に水引表示２２、三方表示２３、四方紅表示２４、裏白表示２５、お飾り表示（橙、干支の絵、梅花、扇等）２６等の他に、新年を意味する例えば「賀正」「新春」「迎春」「謹賀新年」等の文字）と当該年を示す文字等の文字表示２７を、表シート１１に印刷表示したものである。
【００２２】
個包装餅３は、１〜２ｃｍ角で長さ８〜１２ｃｍの棒状体の餅３１をフィルム包装３２したもので、３〜４本程度を各々縦にして横に並べて自立性包装袋１内に収納して、自立性包装袋１を密封するものである。特にフィルム包装３２に使用するフィルムは、内層が酸素吸収性を備え外層が酸素バリア性を備えたフィルムで形成されたものを採用する。
【００２３】
而して前記の飾り物は、自立式包装袋１で構成されているので、室内の所望の箇所に自立させておくことができ、且つ餅を内部に備えていると共に鏡餅を表現した模様が表示されているので、鏡餅の代替となるものである。
【００２４】
更に載置展示の他に壁掛け用の透孔１６を使用して、そのまま壁掛け展示とするか或いは正月の雰囲気を出す吊り紐等を使用して壁掛け展示することも可能で、いかようにも展示対応できる鏡餅代替機能を備えることになる。
【００２５】
しかも個包装餅３は、内層が酸素吸収性を備え外層が酸素バリア性を備えたフィルム包装３２がなされているものであるから、飾り展示中は勿論のこと、飾り展示終了後に自立性包装袋１から取り出しても、包装内の餅３１は十分に日持ちするものである。
【００２６】
尚本考案は、小型餅（個包装餅３）を所定の模様表示２を施した自立性包装袋１に収納してあれば良く、上記した実施形態に限定されるものではなく、小型餅も立方体や直方体の切り餅の他に丸餅を採用しても良い。
【００２７】
また小型餅の日持ち処理として、前記の包装手段の他に、従前より個包装餅に採用されている酸素透過性を備えたフィルムで形成した包装材で小型餅を包装し、自立性包装袋を、酸素バリア性を具備したフィルムで形成すると共に、個包装餅と脱酸素剤を一緒に密封包装しても良い。
【符号の説明】
【００２８】
１    自立性包装袋
１１    表シート
１２    裏シート
１３    底シート
１４    凹部
１５    開封用切込
１６    透孔
２    模様表示
２１    鏡餅表示
２２    水引表示
２３    三方表示
２４    四方紅表示
２５    裏白表示
２６    お飾り表示
２７    文字表示
３    個包装餅
３１    餅
３２    フィルム包装
【図１】
0003208169.tif 000003
【図２】
0003208169.tif 000004
【図３】
0003208169.tif 000005